(57)【要約】  タバコ製品用パケットは外部パッケージを備え、それは２つの大側壁、２つの小側壁、上部、及び底部を形成し、底部は大側壁に対して垂直でかつヒンジ線を成す弱め線によって互いに対して接続された第１及び第２ベース部分を備え、外部パッケージは、タバコ製品の各群を収容する第１及び第２内部パッケージを含む。２つの内部パッケージは、２つの大側壁、２つの小側壁、少なくとも１本のタバコ製品を取り出すための開口部を伴った上部、及び底部を備える。内部パッケージの各底部は外部パッケージの底部の第１部分と第２部分とに夫々接続される。第１及び第２内部パッケージは、パケットの閉じ位置であって第１及び第２内部パッケージは重なり合って整列状態となる位置と、パケットが扇形に開いた開放位置であって第１及び第２内部パッケージが所定の開き角度（α）で互いからオフセットした状態となる位置との間で、ヒンジ線周りで移動可能である。【選択図】図２
2015512836.tif 000002
【特許請求の範囲】
【請求項１】
タバコ製品用パケットであって、前記パケットは、
２つの大側壁（４）、２つの小側壁（５）、上部（６）及び底部（７）を形成すると共に、前記底部（７）は前記大側壁（４）に対して垂直でかつヒンジ線（１０）を成す弱め線によって互いに対して接続された第１ベース部分（８）及び第２ベース部分（９）を備える外部パッケージ（３）と、
夫々がタバコ製品（２）の各群（１３）を収容する第１内部パッケージ（１１）及び第２内部パッケージ（１２）と、を備え、
前記第１内部パッケージ（１１）及び前記第２内部パッケージ（１２）は夫々、２つの大側壁（１８）、２つの小側壁（１９）、少なくとも１本のタバコ製品（２）を取り出すための開口部（２１）を伴った上部（２０）、及び底部（２２）を備え、前記第１内部パッケージ（１１）及び前記第２内部パッケージ（１２）の前記底部（２２）は夫々、前記外部パッケージ（３）の底部（７）の前記第１ベース部分（８）と前記第２ベース部分（９）とに夫々接続され、
前記第１内部パッケージ（１１）及び前記第２内部パッケージ（１２）は、前記パケット（１）の閉じ位置であって前記第１及び第２内部パッケージが重なり合って実質上整列状態となる位置と、前記パケット（１）が扇形に開いた開放位置であって前記第１及び第２内部パッケージが所定の開き角度（α）で互いからオフセットした状態となる位置との間で、前記ヒンジ線（１０）の周りで移動可能であることを特徴とする、パケット。
【請求項２】
前記閉じ位置において、前記外部パッケージ（３）の上部（６）は、少なくとも、前記第１内部パッケージ（１１）及び第２内部パッケージ（１２）の各々の前記取り出し開口部（２１）を覆うことを特徴とする、請求項１に記載のパケット。
【請求項３】
前記開放位置において、前記第１内部パッケージ（１１）及び第２内部パッケージ（１２）は部分的に重なり合い、夫々の前記取り出し開口部（２１）は覆われないことを特徴とする、請求項１又は２に記載のパケット。
【請求項４】
第１ストラップ（２３）及び第２ストラップ（２４）を備え、各ストラップ（２３、２４）は前記外部パッケージ（３）を各内部パッケージ（１１、１２）に接続することを特徴とする、請求項１から３のうち何れか一項に記載のパケット。
【請求項５】
各ストラップ（２３、２４）は、前記外部パッケージ（３）の夫々の大側壁（４）を、その反対側にある外部パッケージ（３）の大側壁（４）に隣接した各内部パッケージ（１１、１２）に接続することを特徴とする、請求項４に記載のパケット。
【請求項６】
各内部パッケージ（１１、１２）は、タバコ製品（２）の一群（１３）を収容する内箱（２５）と、前記内箱（２５）が前記タバコ製品（２）の各軸線に平行にスライドできるように前記内箱（２５）を収容する外箱（２６）とを備え、以て前記内箱（２５）が格納位置と、抽出又は持ち上げ位置との間でスライドするのを可能にし、前記格納位置では前記内箱（２５）が前記内箱の下壁（２７）を前記外箱（２６）の下壁（３３）に隣接させると共に前記タバコ製品（２）の全てが前記内箱（２５）に完全に包含され、前記抽出又は持ち上げ位置では前記内箱（２５）が外箱（２６）の上壁（３４）近傍に位置することを特徴とする、請求項１から５のうち何れか一項に記載のパケット。
【請求項７】
前記内箱（２５）の前記下壁（２７）は、内箱（２５）内にあるタバコ製品（２）の内の少なくとも１本を支持するように設計された支持部分（４７’）を形成し、前記内箱（２５）の実際に前記抽出又は持ち上げ位置に向かう各スライド動作によって、前記支持部分（４７’）に支持される前記少なくとも１本のタバコ製品（２）が外箱（２６）の上壁（３４）に向かって軸方向移動し、前記タバコ製品（２）が前記内部パッケージ（１１、１２）の前記取り出し開口部（２１）を介して外に出ることを特徴とする、請求項６に記載のパケット。
【請求項８】
前記内箱（２５）の下壁（２７）の一部分が開くことで、前記タバコ製品（２）は前記外箱（２６）の下壁（３３）に接触することができることを特徴とする、請求項６又は７に記載のパケット。
【請求項９】
前記支持部分（４７’）の寸法は、前記内箱（２５）の横断方向の寸法よりも小さいことを特徴とする、請求項７又は８に記載のパケット。
【請求項１０】
前記外箱（２６）には、それを介して喫煙者が手動で内箱（２５）に作用し、内箱（２５）に前記格納位置と前記抽出又は持ち上げ位置の間でスライド動作させる追加の開口部（４０）が設けられることを特徴とする、請求項６から９のうち何れか一項に記載のパケット。
【請求項１１】
前記追加の開口部（４０）は、前記外箱（２６）の１つの大側壁（３５）と１つの小側壁（３８）を接合するエッジの略中央領域に形成されることを特徴とする、請求項１０に記載のパケット。
【請求項１２】
前記追加の開口部（４０）は、前記外箱（２６）の大側壁（３５）に形成されることを特徴とする、請求項１０に記載のパケット。
【請求項１３】
前記追加の開口部（４０）は、前記外箱（２６）の小側壁（３５）に形成されることを特徴とする、請求項１０に記載のパケット。
【請求項１４】
前記内箱（２５）の下壁（２７）は、引き裂くことができ下壁（２７）の領域の境界を決める弱め線（４７）と、前記領域の外側にあって前記支持部分（４７’）を形成する下壁（２７）の一部分とを備え、前記領域は接着剤によって前記外箱（２６）の下壁（３３）に接続されていることを特徴とする、請求項６から１３のうち何れか一項に記載のパケット。
【請求項１５】
喫煙者にパケット（１）からタバコ製品（２）を取り出す方法と、前記支持部分（４７’）上に次のタバコ製品（２）を装填する方法を指示する指示手段（６５）を備えることを特徴とする、請求項１から１４のうち何れか一項に記載のパケット。
【請求項１６】
前記指示手段（６５）は、前記タバコ製品（２）を取り出すための内箱（２５）のスライド方向を示す第１矢印（Ａ）と、その次のタバコ製品（２）を前記支持部分（４７’）上に装填するための内箱（２５）のスライド方向を示す第２矢印（Ｂ）とを備えることを特徴とする、請求項１５に記載のパケット。
【請求項１７】
前記パケット（１）は扇形の開放位置にある時、前記矢印（Ａ、Ｂ）は目視可能であることを特徴とする、請求項１６に記載のパケット。
【請求項１８】
前記矢印は夫々の内箱（２５）のフロント領域（４１）にあり、夫々の外箱（２６）の前記開口部（４０）を介して目視可能であることを特徴とする、請求項１５又は１６に記載のパケット。
【請求項１９】
一度には唯一の矢印（Ａ、Ｂ）しか見ることができないことを特徴とする、請求項１６から１８のうち何れか一項に記載のパケット。
【発明の詳細な説明】
【技術分野】
【０００１】
本発明はタバコ製品用パケットに関する。
【０００２】
以下の説明では、それによって本発明の範囲を制限することなくタバコからなるタバコ製品を参照する。
【背景技術】
【０００３】
市場に存在したり、或いは未だ市場にはあらずとも特許文献に記述・例証された形で、従来技術には数多くの種類の既知パケットがあり、その中には“ヒンジ蓋”として知られているタイプの硬質パケットがある。
【０００４】
これらのパケットは、通常、板紙やプラスチック材料で作られた外箱を備えており、その外箱は箱本体と、その箱本体にある１つのエッジに沿ってヒンジ付けされた蓋とを形成し、タバコの一群を収容する内箱を格納している。
【０００５】
多くの場合、内箱は一般的に柔らかい材料であって、通常はフォイルペーパーによって作られ、当初は閉じられており、その中にあるタバコを取り出すためにパケットが開放される時に初めて引きちぎられて除去することのできる上方部分を備える。
【０００６】
往々にして、内箱はその内部にあるタバコ群に対して側方からある量の圧縮力を付与している。即ち、タバコのパケットが新品である場合、言い換えればパケットが含むタバコの一群が全数である場合、タバコ群にかかる側方の圧縮力は比較的高い可能性があり、そのタバコ群から最初のタバコを取り出すことは、そのタバコとそれを取り囲むタバコとの間の摩擦力のせいで全く困難となる場合がある。
【０００７】
この種のパケットのさらなる欠点は、喫煙者がタバコを取り出すためには両手を使わなければならないということである。実際、パケットからタバコを取り出すためには、箱本体を一方の手でしっかり押さえつつ、他方の手は、蓋を開き、それを開いた状態に保つために使わねばならない。
【発明の概要】
【発明が解決しようとする課題】
【０００８】
本発明は、上述した欠点を克服すると共に、１本の手だけで開けることができてタバコを取り出すことができ、かつ同時に製造が容易で安価なタバコ製品用パケットを提供することを目的とする。
【課題を解決するための手段】
【０００９】
ここに示した技術的な目的及び特定の目的は、独立請求項１に記載の技術的特徴を備えるタバコ製品用パケットによって達成される。
【００１０】
以下、紙巻きタバコからなるタバコ製品を参照しつつ、しかしながらそれによって本発明の範囲を制限することなく、またその非限定的な実施形態を例証する添付図面を参照して本発明を説明する。
【図面の簡単な説明】
【００１１】
【図１】第１の閉じ作動状態にある、本発明によるタバコパケットの斜視図である。
【図２】第２の開放作動状態にある、図１のタバコパケットの斜視図である。
【図３】図２のパケットの内、幾つかの部分を取り除いて他の部分をより良く示した斜視図である。
【図４】図２のパケットの構成要素の斜視図である。
【図５】図４に示した構成要素の詳細部の斜視図である。
【図６】図４の構成要素の別の詳細部の斜視図である。
【図７】図４の構成要素の内、幾つかの部分を取り除いて他の部分をより良く示した斜視図である。
【図８】図８及び図９は、図４の構成要素を作るための２枚のブランクを示した平面図である。
【図９】図８及び図９は、図４の構成要素を作るための２枚のブランクを示した平面図である。
【図１０】図２に示すパケットの別の構成要素を作るためのブランクを示した平面図である。
【図１１】図２に示すパケットの別の構成要素を成す図１０のブランクを部分的に組み立てた斜視図である。
【発明を実施するための形態】
【００１２】
図１及び図２を参照するに、番号１はタバコ２用のパケット全体を示している。
【００１３】
パケット１は、幾つかの構成要素から形成され、２枚の大側壁４、２枚の小側壁５、上部６及び底部７を形成する外部パッケージ３を備える。底部７は第１ベース部分８と第２ベース部分９（図３）を備えており、それらは、大側壁４に対して垂直であってかつヒンジ線１０を成す弱め線によって互いに連結されている。
【００１４】
パケット１は又、共に外部パッケージ３内に位置する第１内部パッケージ１１と第２内部パッケージ１２を備えている。内部パッケージ１１、１２の夫々には、タバコ２の夫々の群１３、１４が含まれる。
【００１５】
タバコ２の各群１３，１４は、好ましくは図５に示すように、互いに平行なタバコ２の列からなり、それらは組になって並置され列を成すために位置合わせされる。タバコ２は又、２列以上に並んで配置される場合もあり、各タバコは、一端部１５で手でつかむことが可能な取り出し部分１６と、その取り出し部分１６の反対側にある端部分１７を備える。
【００１６】
パケット１の不使用時、タバコ２はそれぞれの軸線を垂直にした状態で配置されるが、特に、以下の説明では“垂直”（及び類似の用語）なる用語は、説明目的上、パケット不使用時、その内部のタバコ２が各軸線を垂直にして配置されかつパケット１から取り出されたタバコ２がある領域はパケット１それ自体の上部に位置するような状態において、パケット１によって取られた位置を説明するために使用されることになる。 “上方”及び“下方”（更に、“上部”や“下部”のような類似語）なる用語も又、パケットが垂直位置にある時、パケット１の対応する部分を指定するために使用される。
【００１７】
図４に示すように、第１内部パッケージ１１及び第２内部パッケージ１２は夫々、２つの大側壁１８、２つの小側壁１９、少なくとも１本のタバコ２を取り出すための開口部２１を備えた上部２０、及び底部２２を備えている。第１内部パッケージ１と第２内部パッケージ１２の各底部２２は、外部パッケージ３の第１ベース部分８と第２ベース部分９に夫々接続されている。
【００１８】
好ましくは、取り出し開口部２１は、初めは図示しない引き裂きストリップによって閉じられているかもしれないし、さもなければ同開口部には、同様に図示しない着脱可能な密封ラベルが設けられるかもしれない。
【００１９】
第１内部パッケージ１１及び第２内部パッケージ１２は、パケット１が閉じた状態にあって第１及び第２内部パッケージが重なり合い、実質的に１列に並んだような位置（図１）と、パケット１が扇形に開放され、第１及び第２内部パッケージが所定の開き角度αだけ互いにオフセットされるような位置（図２）との間で、ヒンジ線１０周りに移動可能になっている。より正確には、開き角αは、図２に示すように、第１部分８と第２の部分９によって占有された方向同士のなす角度である。
【００２０】
図１、２、３に示されるように、パケット１は第１ストラップ２３と第２ストラップ２４を備え、その夫々は外部パッケージ３の各大側壁４と、外部パッケージ３の反対側にある大側壁４に隣接する各内部パッケージ１１、１２とに接続される。したがって、使用中、ストラップ２３、２４は互いに接触しあい（図２）、パケット１の扇形開放位置を成す。さらに、第１ストラップ２３及び第２ストラップ２４は少なくとも部分的に外部パッケージ３の上部６を形成する。
【００２１】
閉じ位置では、外部パッケージ３の上部６は、第１及び第２内部パッケージ１１、１２の各々の少なくとも取り出し開口部１２を覆う。開放位置では、第１内部パッケージ１１と第２内部パッケージ１２は部分的に重なり合い、夫々の取り出し開口部２１は覆われることはない。
【００２２】
図３〜図７に示されるように、内部パッケージ１１、１２の夫々は、好ましくは硬質の内箱２５を備えており、その箱は、同様に好ましくは硬質の厚紙又は同種のものから作られた外箱２６内で直線的にスライドできるように収納されることで、内箱２５が、外箱２６内部で最も低い位置にあるような格納位置（図５に示す）と、内箱２５が外箱２６内部で最も高い位置にあって１本のタバコ２が内箱２５それ自体から部分的に（上方に）引き出された状態に保持されるような持ち上げ位置又はタバコ２取り出し位置（図７に示す）との間で直線的移動を伴って双方向に移動可能となっている。
【００２３】
内箱２５（図５）は、実質上、“カップ”の形を伴った平行六面体形状であり、下壁２７、互いに平行に向かい合った２つの大きな平行側壁２８、２９及びこれら大側壁２８、２９の間に位置した２つの小さな平行側壁３０、３１を備える。内箱２５の開放した上端部３２は、小側壁３１の近傍で、一度に１本のタバコ２を引き出すための領域Ｚを形成し、内箱２５が“上げ”位置（その特徴及び目的は以下に説明する）にある時、その領域を介してパケット１からタバコ２を引き出すことができる。
【００２４】
特に図６に示したように、外箱２６も平行六面体形状であり、下壁３３、上壁３４、互いに平行に向かい合う２つの大側壁３５、３６、及び２つの小側壁３７、３８を備える。
【００２５】
外箱２６の側壁３５、３８が接するエッジ３９に沿って実質上中間の領域には、外箱２６それ自体を作り上げるブランク４４（図９）に作られたスロット５５からなる開口部４０があり、この開口部を介して喫煙者は内箱２５のフロント領域４１に触れることができる。スロット５５の形状及びサイズは、喫煙者がそのスロット５５それ自体を介して内箱５２のフロント領域４１に押し動作を付与できるようなものになっており、内箱を垂直方向双方向に移動させ、それを外箱２６の中で上述した格納・持ち上げ位置間でスライドさせるようになっている。尚、ここでは図示しないがパケット１の変形実施形態として、スロット５５は、外箱２６の大側壁３５の一方のみ（好ましくは、前方にある側壁）に形成されたり小側壁３８の一方に形成されたりする場合もあることに留意されたい。
【００２６】
好ましくは、開口角αの大きさは、使用中、パケット１が扇形に開放した時（図３）、スロット５５が完全に覆われないようなものとなっている。喫煙者によって内箱２５のフロント領域４１に与えられる手押し操作を容易にするために、フロント領域４１の露出面には図示されていないがギザギザやその他の粗化機能を設けることも可能である。
【００２７】
図４に明瞭に示すように、外箱２６の上壁３４には、タバコ２を取り出すための上記開口部２１を形成する実質上正方形のつかみ口４２がある。
【００２８】
タバコパケット１の箱２５、２６は夫々、図８及び図９に示した対応ブランク４３、４４から作られる。ブランク４３、４４の各々は複数の要素からなり、これらは可能な限り、夫々の箱２５、２６の対応要素を示すダッシュ無し参照番号と同様なダッシュ付き参照番号で示されている。
【００２９】
図８を参照するに、ブランク４３には、長手方向に延びる２本の弱め線４５と、横断方向に延びる２本の弱め線４６とがあり、これらによって２本の長手方向弱め線４５の間には、（図の下から上に）１つの大側壁２８を成すパネル２８’、下壁２７を成すパネル２７’、及びもう一方の大側壁２９を成すパネル２９’が形成される。
【００３０】
パネル２８”は、図８の下側に位置し、左右に１組のサイドフラップ３０’、３１’を夫々備えており、それらは小側壁３０、３１’の内側部分を構成すると共に、隣接するパネル２８’の両側に位置し、長手方向弱め線４５によってパネル２８’から隔てられている。同様に、図８の上に位置するパネル２９’にも左右に１組のサイドフラップ３０”、３１”が夫々あり、それらは小側壁３０、３１’の外側部分を構成すると共に、隣接するパネル２９’の両側に位置し、長手方向弱め線４５によってパネル２９’から隔てられている。
【００３１】
下壁２７を構成するパネル２７’には、図８においてその左側部分に、左に向かって凹んだ略“Ｕ”字状の弱め線４７が設けられ、その凹みはパネル２７’それ自体の２つの対辺を定める２本の長手方向弱め線４５の各部分に一致する２本の対向する長辺４８を備えている。
【００３２】
弱め線４７はパネル２７’の右手に向かって、その端部からの距離がタバコ２の直径より少し長くなるように延びる。パネル２７’それ自体の右端部と弱め線４７との間に位置するパネル２７’の部分はこれ以降、参照番号４７’で示した“支持部分”と呼ぶことにする。
【００３３】
図９を参照するに、ブランク４４は２本の長手方向弱め線４９と、複数本の横断方向弱め線５０とを備え、それらによって（図の下から上にかけて）２本の長手方向弱め線４９の間に、一方の大側壁１５を成すパネル３５’、底壁３３を成すパネル３３’、及び他方の大側壁１３を成すパネル３６’を形成している。
【００３４】
パネル３５’は、図９にあって左右夫々に１組のサイドフラップ３７’、３８’を備え、それらはパネル３５’それ自体の両側に位置し、パネル３５’からは長手方向の弱め線４９によって分離され、実質的に長方形であり、夫々が小側壁３７、３８の外側部分を構成する。同様に、パネル３６’は図９にあって左右夫々に１組のサイドフラップ３７”、３８”を備え、それらはパネル３６’の両側に位置し、パネル３６’自体からは長手方向の弱め線４９によって隔てられ、実質的に長方形であり、夫々が小側壁３７、３８の内側部分を構成している。図９において上側にあるサイドフラップ３７’、３８’の横辺は、パネル３３’をパネル３５’から隔てる横断方向弱め線５０の端部分によって２枚のフラップ５１へと接続され、それらフラップは夫々フラップ３７”、３８”へと延びて、ほぼ接触した状態となる。パネル３５’、３６’の夫々は、図９の下部と上部に夫々横辺を配置し、その横辺はパネル３３’とは反対側に位置する各フラップ５２に接続され、これらフラップは横断方向弱め線５３によって夫々のパネル３５’、３６’から分離されている。
【００３５】
横断方向弱め線５３の方向でのフラップ５２の横寸法は、パネル３５’、３６’の横断方向の寸法よりも小さく、フラップ５２は各パネル３５’、３６’に対し、図９の右に位置してその幅がタバコ２の直径よりも僅かに大きいパネル３５’、３６’の各側方部分を取り除いた形で配置される。パネル３５’の、図９の右側に位置するエッジに接続されるサイドフラップ３８’には、長手方向中央域に、ブランク４４が延びる長手方向に平行に走り、かつその深さがフラップ３８’自体の幅の半分にほぼ等しい凹部５４が設けられる。
【００３６】
パネル３６’と、図９の右側に位置するサイドフラップ３８”との接続領域は、その長手方向の中央部において、ブランク４４が延びる長手方向に平行に走る略長方形の細長スロット５５によって遮断され、その長さは凹部５４の長さに実質上等しく、サイドフラップ３８”に対応するスロット部分の幅は凹部５４の幅に実質的に等しい。他方、パネル３６’上に位置するスロット部分の幅は、凹部５４の幅よりも大きいことが望ましく、実質的に７〜１０ｍｍに等しい。
【００３７】
図示しないが、本発明の変形実施形態として、スロット５５はパネル３６’及び／又はフラップ３８’上の如何なる位置に配置しても良く、図６に示したスロット５５の形状やサイズと異なるどんな場合であっても、任意の形状及びサイズを持つことが可能であることに留意されたい。
【００３８】
図１０に示すように、タバコパケット１の外部パッケージ３はブランク５６から得られる。
【００３９】
そのブランク５６は外部パッケージ３の大側壁４を形成する２つの大パネル４’を備えている。
【００４０】
大パネル４’は横断方向の２本の弱め線５７を介して外部パッケージ３の底部７を形成するパネル７’によって相互に接続されている。接続パネル７’は底部７の第１部分８と第２部分９を夫々形成する第１サブパネル８’と第２サブパネル９’に分割され、各サブパネルは前述のヒンジ線１０を構成する弱め線５８によって互いに接続されている。より具体的には、パケット１を扇形に開かせるために、第１サブパネル８’は図中左側において横断方向の弱め線５７によって大パネル４’に接続され、図中右側にある他方の大パネル４’からは第１切断線５９によって分離される。同様に、第２サブパネル９’は、図中右側において横断方向の弱め線５７によって大パネル４’に接続されており、更に第２切断線６０によって図中左側にある他方の大パネル４’から分離されている。 
【００４１】
大パネル４’の各々は、外部パッケージ３（図１１）のための内部補強材を形成する第１フラップ５’と、夫々が外部パッケージ３の各小側壁５を形成する第２フラップ５”とを備えている。第１フラップ５’と第２フラップ５”は長手方向の弱め線６１によって大パネル４’に接続される。
【００４２】
具体的には、図１０に示すように、第１フラップ５’と第２フラップ５”は大パネル４’それ自体の両側において各々の大パネル４’に接続されている。
【００４３】
各大パネル４’は又、側方翼２３’、２４’を備え、夫々の翼はパネル７’とは反対に位置する大パネル４’の側部において各大パネル４’に接続されている。第１側方翼２３’と第２側方翼２４’が前述した接続ストラップ２３、２４を夫々形成する。
【００４４】
各側方翼２３’、２４’は弱め線６２によって夫々の大パネル４’に接続されている。好ましくは、各側方翼２３’、２４’は第１フラップ５’の近傍で各大パネル４’に接続される。
【００４５】
ブランク５６は更に、大パネル４’を第２フラップ５”に接続する弱め線６１に沿って、各々が実質上その途中に形成された１組の開口部６３を備えている。
【００４６】
好適なこととして、開口部６３の夫々は直角台形の形状で作られ、その台形の底辺は弱め線６１に対して垂直である一方、斜辺は夫々の大パネル４’上にあって、ブランクが延びる主要方向に垂直な方向に対し角度αを成して傾斜している。そうすれば、喫煙者にとっては片手だけでパケットを扇形に開くことが一層容易となる。
【００４７】
第１の代替実施形態では、各開口部６３は夫々の大パネル４’だけに形成されている。第２の代替実施形態では、各開口部６３は夫々の第２フラップ５”だけに形成される。
【００４８】
略中央領域において、各第２のフラップはＵ字状の型の凹み６４を備えている。パケット１の組み立ての際、各Ｕ字状凹み６４はブランク４３の凹部５４に対向し、パケット１完成時には外部パッケージ２６のつかみ開口部４２の一部を形成する。
【００４９】
図８、図９及び図１０に示されたブランク４３、４４及び５６では、内、外箱２５、２６及び外部パッケージ３を組み立てるために接着剤が塗布されるべき部分を斜線領域で示している。
【００５０】
内箱２５は、パネル２７に対してパネル２８’、２９’を互いに、これらをパネル２７’自体に結合する横断方向の弱め線４８周りで直角に折り畳むことによって組み立てられる。次にサイドフラップ３０、３１’は、これらが２つのパネル２８’、２９’間の空間を覆うように、これらフラップをパネル２８’に結合する長手方向弱め線４５周りに直角に折り畳まれ、次にサイドフラップ３０”、３１”が既に折り畳まれた状態にある各サイドフラップ３０’、３１’上へと直角に折り畳まれる。前述したようにブランク４３上の接着剤は、内箱２５を、このようにして得られた形に保持する。
【００５１】
パネル３５’、３６’はこれらをパネル３３’に結合する横断方向の弱め線５０周りで直角に折り畳まれるという点で、外箱２６は内箱２５と同じ方法で組み立てられる。サイドフラップ３７”、３８”は、これらが２つのパネル３５’、３６’間の空間を覆うように、これらフラップをパネル３６’に結合する長手方向弱め線４９周りに直角に折り畳まれる。フラップ５１は、これらを各フラップ３７’、３８’に結合する横断方向弱め線５０周りに直角に折り畳まれてパネル３３’上に配置される。そして、サイドフラップ３７’、３８’は既に折り畳まれた状態にある各サイドフラップ３７”、３８”上へと直角に折り畳まれる。これらの作業は、既に組み立てられかつその内部にタバコ２の列１３を収納する内箱２５の周りで外箱２６を形作ることにより行われる。外箱２６が完成したならば、サイドフラップ５２は外箱２６を閉じるという形でお互いに重なり合うように直角に折り畳まれる。上で特定したように、ブランク４４上の接着剤は、外箱２５を、このようにして得られた形状に保持する。
【００５２】
尚、内箱２５の外側にあるその面上で、ブランク４３の内、弱め線４７で包囲されたパネル２７’の一部には、箱２５，２６が組み立てられた後にそれをブランク４４のパネル３３’に接着させる接着剤が設けられていることに留意されたい。
【００５３】
その結果として、ブランク４３は内箱２５が作られている間は取り扱いが容易である。何故なら、弱め線４７が手つかずのままである限りにおいてはずっと底パネル４７’が各パネル２８’、２９’を互いに接続した状態であり、結果としてブランク４３に良好な形状安定性と充分な剛性を与えているからである。
【００５４】
ひとたび内部パッケージが完成したならば、上述したように、そして以下に更に詳細に説明するように、内箱２５が外箱２６内で上方にスライドさせられた時に初めて弱め線４７は裂かれ、内箱２５は外箱２６から完全に自由となり、内箱２５の各壁２８は、弱め線４７の外側にあるパネル２７の領域によってのみ互いに対し接続されたままとなる。その後は、内箱２５は、弱め線４７の外側にあるパネル２７’の領域だけを除いて、つまり壁２７の支持部分４７’を除いて底が開口する。
【００５５】
換言すれば、上述したように、内箱２５の底壁は、引き裂き可能な弱め線４７が同じ下壁２７の領域を区切るように作られる下壁２７によって形成される。その領域外にある下壁２７の一部分が支持部分４７’を形作り、その領域は接着剤によって外箱２６の下壁３３に接続される。
【００５６】
図１１に示されるように、外部パッケージ３は、最初にサイドフラップ５’を長手方向弱め線６１周りに折り畳み、それらが各大パネル４’にぴったり合うまで折り畳むことによって組み立てられる、第１サイドフラップ５’は、各フラップ５’自体に塗布された接着剤によって大パネル４’に接着され、ひいては外部パッケージ３の内部補強材を構成する。
【００５７】
次に、第１内部パッケージ１１と第２内部パッケージ１２は、各外箱２６の下方パネル３３上にある接着剤によって、パネル７’の夫々のサブパネル８’、９’に並んだ状態で当てられる。
【００５８】
図９に示すように、接着剤はパネル３３’それ自体の一部分にだけに限って下方パネル３３’に塗布される。具体的には、接着剤は、扇形のパケット１の開口部を隠さないように、各内部パッケージが当たるブランク５６の各サブパネル８’、９’に略等しい長さ、好ましくはそれよりも短い長さを以て、パネル３３’に塗布される。
【００５９】
ひとたび内部パッケージ１１、１２が外部パッケージ３に当てられたならば、第２フラップ５”は長手方向弱め線６１周りで直角に折り畳まれ、各内部パッケージ１１、１２の外箱２６の側壁３８にぴったり合わされる。
【００６０】
側壁３８自体を形成するブランク４４のパネル３８’に塗布された接着剤のおかげで、各第２サイドフラップ５”は側壁３８にしっかり接着する。
【００６１】
そして、側方翼２３’、２４’は直角に折り曲げられて夫々の内部パッケージ１１、１２の上部２０にしっかりと接着し、上述したストラップ２３、２４を形成する。
【００６２】
使用時、パケット１からタバコ２を取り出すために、喫煙者がしなければならない全ては、同時に開口部６３の両方を押すことで、パケット１を扇状に開けさせ、取り出し開口部２１の両方に対してアクセス可能にすることである。
【００６３】
タバコ２を取り出す必要がない場合には、内箱２５は、その下壁２７が外箱２６の下壁１３に接触するような最も低い格納位置（図４、５）を占めるはずである。これらの条件下で、内箱２５の内部にあるタバコ２は、それらの軸線に対して垂直に、内箱２５の壁３１に向かって並進スライドすることができる。このスライドの結果として、内箱２５の壁３１に最も近いタバコ２は、壁３１それ自体に隣接する壁の領域の上方、言い換えれば支持部分４７’の上方に移動する。
【００６４】
上述した事項によれば、内箱２５の下壁の一部分は破れ、外箱２６の下壁３３に接続されたままの状態であるため、底部には段差が生じず、したがってタバコは支持部分４７’の上へと容易に移動可能である。
【００６５】
この時点で、喫煙者がしなければならない全ては、開口部４０を介して内箱２５のフロント領域４１上で指を押し、内箱２５を格納位置から持ち上げ位置へと上方に付勢すること、及び壁７の支持部分４７’上にあるタバコ２の上方部分を外箱２６の上壁３４のつかみ開口部４２から突き出させることである（図７）。
【００６６】
好ましくは、スロット５５は、図面には示さないが、パケットが開かれる最初に引き裂かれるべきパネルによって覆われるかもしれない。
【００６７】
図７に示すように、壁７の支持部分４７’を除いて内箱２５の底部は開いているため、群１３内の他のタバコ２は外箱２６の下壁３３に接触した状態で下降位置にとどまる。
【００６８】
一旦、パケット１から部分的に突出するタバコ２が取り出されたならば、別のタバコ２を壁７の支持部分４７’上へと移動させるために、上述したようにフロント領域４１上の指を押すことで内箱２５は元の格納位置まで戻されなければならない。
【００６９】
パケット１は、喫煙者に対してタバコ２を取り出す方法と、支持部分４７’の上に次のタバコ２を装填する手段６５を指示した指示手段６５を備える。
【００７０】
指示手段は、図５で“Ａ”の標識を付け、タバコ２を取り出すための内箱２５のスライド方向を示す第１矢印と、図５で“Ｂ”の標識を付け、支持部分４７’上に次のタバコ２を装填するための内箱２５のスライド方向を示す第２矢印とによって規定される。
【００７１】
矢印Ａ、Ｂは、パケット１を扇形（図２）に開いた際に見ることができる。
【００７２】
矢印Ａ、Ｂは各内箱２５のフロント領域４１にあり、各外箱２６の開口部４０を通して見ることができる、
【００７３】
より具体的には、パケット１は扇形に開いた際には、内箱２５は後退位置にあって第１矢印Ａだけが見ることができる（図４）。これは、喫煙者に対して、タバコ２を取り出すために内箱２５がスライドされなければならない正規方向を示すものである。
【００７４】
内箱２５が持ち上げ位置に移動された際には、第１矢印Ａは外箱２６の大きな壁３５の一部分によって隠され、第２矢印Ｂだけが開口部４０（図２、３）を介して見ることができる。これは、喫煙者に対して、次のタバコ２を支持部分４７’上に装填するために内箱２５がスライドされなければならない正規方法を示すものである。
【００７５】
内箱２５が格納位置へと戻る際には、第２矢印Ｂは外箱２６のより大きな壁３５の一部分の後ろに隠れ、矢印Ａだけが開口部４０を通して見ることができる。
【００７６】
更に、図示されない変形実施形態では、タバコ２が取り出され、内箱２５が元の格納位置に戻った後、壁３１に向って戻る残りタバコ２のスライドを容易にするために、パケット１は内箱２５の内部に弾性要素を収納する。この弾性要素は、好ましくは、（例えば）板紙やプラスチック材料からなるシートを（例えば）ジグザグ状に折り畳むことで作られるバネであり、内箱２５内のタバコ２を壁３１に向けて、言い方を変えれば支持部分４７’の作用領域に向けて横断方向に付勢することができるバネである。
【００７７】
尚、図示しない本発明の更なる変形実施形態では、支持部分４７’と引き出し領域Ｚのサイズについては、パネル７’を延長したその長手方向に沿って測定した場合、タバコ２の直径の複数倍に実質的に等しいサイズとなる場合もあることに留意されたい。この場合、内箱２５を上方に移動することで、２本以上のタバコ２の上方部分が領域Ｚを通って外にでることになる。そしてこれらタバコ２の内の１本を取り出した後は、喫煙者は内箱２５を再度下げるだろうし、それにより部分的に突き出していた残りのタバコ２も外箱２６の中に戻ることになる。
【００７８】
図示されない更なる変形実施形態では、内箱２５内のタバコ２は又、単一列ではなく２列以上並んだ状態で配置される場合もある。このような場合でも、支持部分４７’はその上に２本以上のタバコ２を並べる可能性があり、内箱２５を上方に移動することで、２本以上のタバコ２の上方部分が領域Ｚを通って外にでることになるだろうし、これらタバコ２の内の１本を取り出した後は、喫煙者は内箱２５を再度下げることで部分的に突き出していた残りのタバコ２も外箱２６の中に戻ることになる。
【図１】
2015512836.tif 000003
【図２】
2015512836.tif 000004
【図３】
2015512836.tif 000005
【図４】
2015512836.tif 000006
【図５】
2015512836.tif 000007
【図６】
2015512836.tif 000008
【図７】
2015512836.tif 000009
【図８】
2015512836.tif 000010
【図９】
2015512836.tif 000011
【図１０】
2015512836.tif 000012
【図１１】
2015512836.tif 000013
【国際調査報告】
2015512836.tif 000014
2015512836.tif 000015